(57)【要約】【課題】  良好なユーザビリティを確保しつつセキュリティを高めた携帯端末を提供する。【解決手段】  携帯端末１は、入力情報を生成する操作部１０と、画像を表示する表示部１１と、種々の情報を記憶するメモリ部１２と、各部を制御する制御部１７と、を備える。制御部１７は、ログイン状態に移行する際に、操作者に対してログイン時認証パスワードの入力を要求する。制御部１７は、ログイン状態に移行して特定アプリケーションプログラムを実行する際に、ログイン時認証失敗回数が第１回数以上であると、特定アプリケーションプログラム実行時認証パスワードの入力を要求する。制御部１７は、特定アプリケーションプログラム実行時認証パスワードが入力されると、特定アプリケーションプログラムを実行する。【選択図】  図１
2013190996.tif 000002
【特許請求の範囲】
【請求項１】
操作されることで入力情報を生成する操作部と、
画像を表示する表示部と、
少なくとも１つのアプリケーションプログラムと、ログイン時認証パスワードと、特定アプリケーションプログラム実行時認証パスワードと、を記憶するメモリ部と、
前記入力情報に応じて前記アプリケーションプログラムを実行し、実行結果が画像として表示されるように前記表示部を制御する制御部と、を備え、
前記制御部は、
前記入力情報に応じた前記アプリケーションプログラムの実行を許容するログイン状態に移行しようとするときに、前記表示部を制御することで前記ログイン時認証パスワードの入力を要求する画像を表示させ、
前記入力情報が示す文字列と前記ログイン時認証パスワードとが一致することを確認すると、前記ログイン状態に移行し、
前記入力情報が示す文字列と前記ログイン時認証パスワードとが不一致であることを確認すると、その不一致の回数であるログイン時認証失敗回数を、前記メモリ部を制御することで計数及び記憶させた上で、再度前記表示部を制御することで前記ログイン時認証パスワードの入力を要求する画像を表示させ、
前記ログイン状態に移行した後、前記アプリケーションプログラムの１つである特定アプリケーションプログラムを実行しようとするときに、
前記ログイン時認証失敗回数が第１回数未満であることを確認すると、前記特定アプリケーションプログラムを実行し、
前記ログイン時認証失敗回数が前記第１回数以上であることを確認すると、前記表示部を制御することで前記特定アプリケーションプログラム実行時認証パスワードの入力を要求する画像を表示させ、
前記入力情報が示す文字列と前記特定アプリケーションプログラム実行時認証パスワードとが一致することを確認すると、前記特定アプリケーションプログラムを実行することを特徴とする携帯端末。
【請求項２】
前記携帯端末の外部に情報を送信する通信部を、さらに備え、
前記メモリ部は、少なくとも１つの通知情報送信先を記憶し、
前記制御部は、
前記入力情報に基づいて、前記携帯端末が不正操作されている可能性があると判断すると、
前記携帯端末が操作されたことを示す通知情報を生成し、前記通信部を制御して前記通知情報送信先に対して前記通知情報を送信させることを特徴とする請求項１に記載の携帯端末。
【請求項３】
前記制御部は、
前記ログイン時認証失敗回数が前記第１回数以上であることを確認すると、
前記通知情報を生成し、前記通信部を制御して前記通知情報送信先に対して前記通知情報を送信させることを特徴とする請求項２に記載の携帯端末。
【請求項４】
前記制御部は、
前記表示部を制御することで前記特定アプリケーションプログラム実行時認証パスワードの入力を要求する画像を表示させるとき、
前記入力情報が示す文字列と前記特定アプリケーションプログラム実行時認証パスワードとが不一致であると、その不一致の回数である特定アプリケーションプログラム実行時認証失敗回数を、前記メモリ部を制御することで計数及び記憶させ、
前記特定アプリケーションプログラム実行時認証失敗回数が第２回数未満であることを確認すると、再度前記表示部を制御することで前記特定アプリケーションプログラム実行時認証パスワードの入力を要求する画像を表示させ、
前記特定アプリケーションプログラム実行時認証失敗回数が前記第２回数に達していることを確認すると、
前記通知情報を生成し、前記通信部を制御して前記通知情報送信先に対して前記通知情報を送信させることを特徴とする請求項２または３に記載の携帯端末。
【請求項５】
前記携帯端末が操作された状況を観測して操作状況情報を生成する操作状況情報生成部を、さらに備え、
前記制御部は、前記操作状況情報生成部を制御して生成させた前記操作状況情報を用いて、前記通知情報を生成することを特徴とする請求項２〜４のいずれか１項に記載の携帯端末。
【請求項６】
前記操作状況情報生成部として、
前記携帯端末の周囲で発生する音の集音により、前記操作状況情報の１つである音声情報を生成する音声入力部と、
前記表示部が画像を表示する方向に存在する物体の撮像により、前記操作状況情報の１つである画像情報を生成する撮像部と、
前記携帯端末の位置の測位により、前記操作状況情報の１つである位置情報を生成する測位部と、
の少なくともいずれか１つを備えることを特徴とする請求項５に記載の携帯端末。
【請求項７】
前記制御部は、
前記表示部を制御することで前記特定アプリケーションプログラム実行時認証パスワードの入力を要求する画像を表示させるとき、
前記入力情報が示す文字列と前記特定アプリケーションプログラム実行時認証パスワードとが不一致であると、その不一致の回数である特定アプリケーションプログラム実行時認証失敗回数を、前記メモリ部を制御することで計数及び記憶させ、
前記特定アプリケーションプログラム実行時認証失敗回数が第２回数未満であることを確認すると、再度前記表示部を制御することで前記特定アプリケーションプログラム実行時認証パスワードの入力を要求する画像を表示させ、
前記特定アプリケーションプログラム実行時認証失敗回数が前記第２回数に達していることを確認すると、前記入力情報にかかわらず前記アプリケーションプログラムの実行を許容しない完全ロック状態に移行することを特徴とする請求項１〜６のいずれか１項に記載の携帯端末。
【請求項８】
前記制御部は、
前記特定アプリケーションプログラム実行時認証失敗回数が前記第２回数に達する前に、前記入力情報が示す文字列と前記特定アプリケーションプログラム実行時認証パスワードとが一致することを確認して、前記特定アプリケーションプログラムを実行した場合、
その後、前記特定アプリケーションプログラムを実行しようとするときに、前記特定アプリケーションプログラム実行時認証パスワードの入力を要求する画像を前記表示部に表示させることなく、前記特定アプリケーションプログラムを実行することを特徴とする請求項７に記載の携帯端末。
【請求項９】
前記制御部は、
前記ログイン状態に移行しようとするときに、前記ログイン時認証失敗回数が前記第１回数以上であり、さらに前記ログイン状態への移行を終了する条件が満たされたことを確認すると、
前記入力情報にかかわらず前記アプリケーションプログラムの実行を許容しない完全ロック状態に移行することを特徴とする請求項１〜８のいずれか１項に記載の携帯端末。
【発明の詳細な説明】
【技術分野】
【０００１】
本発明は、多機能携帯電話（スマートフォン）やノート型パソコンなどに代表される携帯端末に関する。
【背景技術】
【０００２】
携帯端末が普及した結果、個人が重要な情報を携帯端末に入れて持ち歩くことが多くなった。このような状況下において、紛失や盗難等によって所有者以外の者（以下、取得者とする）が携帯端末を取得し、その不正操作によって携帯端末内の情報が漏洩することが問題となっており、携帯端末のセキュリティを高めるべく何らかの対策を施すことが重要になってきている。
【０００３】
例えば、特許文献１では、紛失した携帯端末を遠隔操作することで、紛失した携帯端末内の情報を他の携帯端末に転送してコピーした上で、紛失した携帯端末内の情報を消去するセキュリティシステムが提案されている。
【０００４】
また例えば、特許文献２では、内蔵する無線通信部を、電源供給のオン／オフにかかわらず常時受信可能な状態にすることで、紛失や盗難等があった場合でも外部からの制御を有効にする携帯端末が提案されている。
【先行技術文献】
【特許文献】
【０００５】
【特許文献１】特開２００１−７８２５５号公報
【特許文献２】特開２００８−１６７３８１号公報
【発明の概要】
【発明が解決しようとする課題】
【０００６】
しかしながら、特許文献１及び２で提案されているセキュリティシステムや携帯端末では、所有者が携帯端末の紛失や盗難に気付く前であると、取得者の不正操作を防止することができないため、問題となる。また、取得者によって携帯端末の通信機能が阻害されてしまうと、取得者による不正操作を防止する手立てが無くなってしまうため、問題となる。
【０００７】
これらの問題に対して、携帯端末のログイン時（例えば、電源投入時やスリープ状態からの復帰時など、以下同じ）にパスワードの入力を要求し、パスワードが入力されない限り携帯端末が動作しないように設定することが考えられる。この携帯端末であれば、所有者が携帯端末の紛失や盗難に気付く前であっても、携帯端末の通信機能が阻害されたとしても、取得者によって携帯端末が不正操作される可能性を低減することができる。
【０００８】
しかしながら、この携帯端末では、設定されているパスワードが単純なもの（例えば、４桁の数字など）である場合、パスワードが取得者に容易に窃取（例えば、所有者がパスワードを入力する様子を盗み見するなど）されたり、取得者によってパスワードが偶然的に携帯端末に入力されたりするなど、携帯端末が不正操作される可能性が十分にあるため、問題となる。
【０００９】
この問題に対して、携帯端末に多重にパスワードを設定したり、複雑なパスワードを設定したり、パスワードの入力可能回数を少なく設定したりすることが考えられる。この携帯端末であれば、取得者が容易にパスワードを入力することができなくなるため、携帯端末を不正操作される可能性を低減することが考えられる。
【００１０】
しかしながら、これらの携帯端末では、携帯端末のセキュリティを高めることは可能であるが、パスワードの入力が煩雑になったり、パスワードの入力ミスが許容されないようになったりして、携帯端末のユーザビリティ（使い勝手）が悪化するため、問題となる。
【００１１】
そこで、本発明は、良好なユーザビリティを確保しつつセキュリティを高めた携帯端末を提供することを目的とする。
【課題を解決するための手段】
【００１２】
上記目的を達成するため、本発明は、操作されることで入力情報を生成する操作部と、画像を表示する表示部と、少なくとも１つのアプリケーションプログラムと、ログイン時認証パスワードと、特定アプリケーションプログラム実行時認証パスワードと、を記憶するメモリ部と、前記入力情報に応じて前記アプリケーションプログラムを実行し、実行結果が画像として表示されるように前記表示部を制御する制御部と、を備え、前記制御部は、前記入力情報に応じた前記アプリケーションプログラムの実行を許容するログイン状態に移行しようとするときに、前記表示部を制御することで前記ログイン時認証パスワードの入力を要求する画像を表示させ、前記入力情報が示す文字列と前記ログイン時認証パスワードとが一致することを確認すると、前記ログイン状態に移行し、前記入力情報が示す文字列と前記ログイン時認証パスワードとが不一致であることを確認すると、その不一致の回数であるログイン時認証失敗回数を、前記メモリ部を制御することで計数及び記憶させた上で、再度前記表示部を制御することで前記ログイン時認証パスワードの入力を要求する画像を表示させ、前記ログイン状態に移行した後、前記アプリケーションプログラムの１つである特定アプリケーションプログラムを実行しようとするときに、前記ログイン時認証失敗回数が第１回数未満であることを確認すると、前記特定アプリケーションプログラムを実行し、前記ログイン時認証失敗回数が前記第１回数以上であることを確認すると、前記表示部を制御することで前記特定アプリケーションプログラム実行時認証パスワードの入力を要求する画像を表示させ、前記入力情報が示す文字列と前記特定アプリケーションプログラム実行時認証パスワードとが一致することを確認すると、前記特定アプリケーションプログラムを実行することを特徴とする携帯端末を提供する。
【００１３】
この携帯端末によれば、ログイン状態に移行する前にログイン時認証パスワードの入力に第１回数以上失敗していることから、携帯端末を不正操作している取得者である可能性がある操作者に対してのみ、不正操作されると問題がある特定アプリケーションプログラムの実行の際に、二重のパスワードの入力を要求する（二重ロックを実行する）ことが可能になる。即ち、携帯端末が不正操作されている可能性がある場合にのみ、特定アプリケーションプログラムの実行のみを制限することで、良好なユーザビリティを確保しつつセキュリティを高めることが可能になる。
【００１４】
さらに、上記特徴の携帯端末において、前記携帯端末の外部に情報を送信する通信部を、さらに備え、前記メモリ部は、少なくとも１つの通知情報送信先を記憶し、前記制御部は、前記入力情報に基づいて、前記携帯端末が不正操作されている可能性があると判断すると、前記携帯端末が操作されたことを示す通知情報を生成し、前記通信部を制御して前記通知情報送信先に対して前記通知情報を送信させると、好ましい。
【００１５】
この携帯端末によれば、携帯端末が不正操作された可能性がある場合に、その旨を通知情報として通知情報送信先に対して送信することが可能になる。したがって、所有者は、携帯端末の不正操作の事実を迅速に把握して対応することが可能になる。なお、通常情報送信先として、例えば、携帯端末の所有者やその近親者のメールアドレスが採用され得る。
【００１６】
さらに、上記特徴の携帯端末において、前記制御部は、前記ログイン時認証失敗回数が前記第１回数以上であることを確認すると、前記通知情報を生成し、前記通信部を制御して前記通知情報送信先に対して前記通知情報を送信させると、好ましい。
【００１７】
この携帯端末によれば、操作者がログイン時認証パスワードの入力に第１回数以上失敗していることから、携帯端末が不正操作された可能性がある場合に、その旨を通知情報として通知情報送信先に対して送信することが可能になる。
【００１８】
さらに、上記特徴の携帯端末において、前記制御部は、前記表示部を制御することで前記特定アプリケーションプログラム実行時認証パスワードの入力を要求する画像を表示させるとき、前記入力情報が示す文字列と前記特定アプリケーションプログラム実行時認証パスワードとが不一致であると、その不一致の回数である特定アプリケーションプログラム実行時認証失敗回数を、前記メモリ部を制御することで計数及び記憶させ、前記特定アプリケーションプログラム実行時認証失敗回数が第２回数未満であることを確認すると、再度前記表示部を制御することで前記特定アプリケーションプログラム実行時認証パスワードの入力を要求する画像を表示させ、前記特定アプリケーションプログラム実行時認証失敗回数が前記第２回数に達していることを確認すると、前記通知情報を生成し、前記通信部を制御して前記通知情報送信先に対して前記通知情報を送信させると、好ましい。
【００１９】
この携帯端末によれば、操作者が特定アプリケーションプログラム実行時認証パスワードの入力に第２回数失敗していることから、携帯端末が不正操作された可能性がある場合に、その旨を通知情報として通知情報送信先に対して送信することが可能になる。
【００２０】
さらに、上記特徴の携帯端末において、前記携帯端末が操作された状況を観測して操作状況情報を生成する操作状況情報生成部を、さらに備え、前記制御部は、前記操作状況情報生成部を制御して生成させた前記操作状況情報を用いて、前記通知情報を生成すると、好ましい。
【００２１】
この携帯端末によれば、通知情報が、携帯端末が操作された状況を示す操作状況情報を用いて作成される。そのため、所有者は、携帯端末が不正操作されている状況を把握して、効果的な対応を採ることが可能になる。
【００２２】
さらに、上記特徴の携帯端末において、前記操作状況情報生成部として、前記携帯端末の周囲で発生する音の集音により、前記操作状況情報の１つである音声情報を生成する音声入力部と、前記表示部が画像を表示する方向に存在する物体の撮像により、前記操作状況情報の１つである画像情報を生成する撮像部と、前記携帯端末の位置の測位により、前記操作状況情報の１つである位置情報を生成する測位部と、の少なくともいずれか１つを備えると、好ましい。
【００２３】
この携帯端末によれば、不正操作を行う取得者の特徴や携帯端末の所在を明確に示した通知情報を、所有者が取得することが可能になる。
【００２４】
さらに、上記特徴の携帯端末において、前記制御部は、前記表示部を制御することで前記特定アプリケーションプログラム実行時認証パスワードの入力を要求する画像を表示させるとき、前記入力情報が示す文字列と前記特定アプリケーションプログラム実行時認証パスワードとが不一致であると、その不一致の回数である特定アプリケーションプログラム実行時認証失敗回数を、前記メモリ部を制御することで計数及び記憶させ、前記特定アプリケーションプログラム実行時認証失敗回数が第２回数未満であることを確認すると、再度前記表示部を制御することで前記特定アプリケーションプログラム実行時認証パスワードの入力を要求する画像を表示させ、前記特定アプリケーションプログラム実行時認証失敗回数が前記第２回数に達していることを確認すると、前記入力情報にかかわらず前記アプリケーションプログラムの実行を許容しない完全ロック状態に移行すると、好ましい。
【００２５】
この携帯端末によれば、ログイン時認証パスワードの入力時に第１回数以上も失敗し、さらに特定アプリケーションプログラム実行時認証パスワードの入力時にも第２回数失敗していることから、携帯端末を不正操作している取得者である可能性が高い操作者の操作を、排斥することが可能になる。したがって、セキュリティを高めることが可能になる。
【００２６】
さらに、上記特徴の携帯端末において、前記制御部は、前記特定アプリケーションプログラム実行時認証失敗回数が前記第２回数に達する前に、前記入力情報が示す文字列と前記特定アプリケーションプログラム実行時認証パスワードとが一致することを確認して、前記特定アプリケーションプログラムを実行した場合、その後、前記特定アプリケーションプログラムを実行しようとするときに、前記特定アプリケーションプログラム実行時認証パスワードの入力を要求する画像を前記表示部に表示させることなく、前記特定アプリケーションプログラムを実行すると、好ましい。
【００２７】
この携帯端末によれば、ログイン時認証パスワードだけでなく特定アプリケーションプログラム実行時認証パスワードをも入力することができていることから、携帯端末を不正操作している取得者である可能性が低い操作者に対して、特定アプリケーションプログラムを容易に実行させることが可能になる。そのため、良好なユーザビリティを確保することが可能になる。
【００２８】
さらに、上記特徴の携帯端末において、前記制御部は、前記ログイン状態に移行しようとするときに、前記ログイン時認証失敗回数が前記第１回数以上であり、さらに前記ログイン状態への移行を終了する条件が満たされたことを確認すると、前記入力情報にかかわらず前記アプリケーションプログラムの実行を許容しない完全ロック状態に移行すると、好ましい。
【００２９】
この携帯端末によれば、ログイン時認証パスワードを入力することができなかったことから、携帯端末を不正操作している取得者である可能性が高い操作者の操作を、排斥することが可能になる。したがって、セキュリティを高めることが可能になる。
【発明の効果】
【００３０】
上記特徴の携帯端末によれば、携帯端末を不正操作している取得者である可能性がある操作者に対してのみ、特定アプリケーションプログラムの実行の際に二重のパスワードの入力を要求する（二重ロックを実行する）ことが可能になる。したがって、良好なユーザビリティを確保しつつセキュリティを高めることが可能になる。
【図面の簡単な説明】
【００３１】
【図１】本発明の実施形態に係る携帯端末の構成例について示すブロック図。
【図２】本発明の実施形態に係る携帯端末のログイン時における動作例について示すフローチャート。
【図３】本発明の実施形態に係る携帯端末のログイン状態における動作例について示すフローチャート。
【発明を実施するための形態】
【００３２】
以下、本発明の実施形態に係る携帯端末について、図面を参照して説明する。なお、以下では説明の具体化のため、本発明の実施形態における携帯端末が携帯電話である場合について例示する。
【００３３】
最初に、本発明の実施形態に係る携帯端末の構成例について、図１を参照して説明する。図１は、本発明の実施形態に係る携帯端末の構成例について示すブロック図である。
【００３４】
図１に示すように、本発明の実施形態に係る携帯端末１は、操作者（携帯端末１の所有者に限られず取得者も含む、以下同じ）により操作されることで入力情報を生成する操作部１０と、画像を表示する表示部１１と、種々の情報を記憶するメモリ部１２と、集音により音声情報を生成する音声入力部１３と、撮像により画像情報を生成する撮像部１４と、携帯端末１の位置を測位して位置情報を生成する測位部１５と、外部と通信する通信部１６と、携帯端末１の各部の制御を行う制御部１７と、を備える。
【００３５】
操作部１０は、例えばタッチパネルやキーなどから成る。表示部１１は、例えば液晶ディスプレイなどから成る。メモリ部１２は、例えば半導体メモリなどから成り、アプリケーションプログラムなどの種々の情報（詳細は後述）を記憶する。
【００３６】
音声入力部１３は、例えば携帯電話の通話用として操作されるマイクロフォンから成る。また、撮像部１４は、例えば自分撮り用として携帯端末１に搭載されるイメージセンサから成る。測位部１５は、例えばＧＰＳ（Global Positioning System）などを利用して携帯端末１の位置を測位する受信機などからなる。通信部１６は、例えば携帯電話の通信キャリアと通信したり無線ＬＡＮ（Local Area Network）のアクセスポイントと通信したりする送受信機から成る。
【００３７】
制御部１７は、例えばＣＰＵ（Central Processing Unit）から成り、操作部１０から入力される入力情報に応じて、携帯端末１の各部の制御を行う。特に、制御部１７は、操作部１０から入力される入力情報に応じて、メモリ部１２に記憶されているアプリケーションプログラムを読み出して実行し、その実行結果が画像として表示されるように表示部１１を制御する。
【００３８】
次に、図２を参照して、携帯端末１のログイン時における動作例について説明する。図２は、本発明の実施形態に係る携帯端末のログイン時における動作例について示すフローチャートである。
【００３９】
図１に示すように、例えば携帯端末１の電源が投入されたり携帯端末１がスリープ状態から復帰したりする場合、制御部１７は、表示部１１を制御することでログイン時認証パスワードの入力を要求する画像を表示させる（ステップ＃１）。このとき、制御部１７は、メモリ部１２から必要な情報を読み出し、表示部１１に表示させるべき画像を生成する。
【００４０】
表示部１１に表示された画像を見た操作者は、操作部１０を操作して文字列を入力する。操作部１０は、その文字列を示す入力情報を生成して制御部１７に入力する。制御部１７は、入力情報が示す文字列とメモリ部１２に記憶されているログイン時認証パスワードとが一致するか否かを確認することで、認証するか否かを決定する（ステップ＃２）。なお、ログイン時認証パスワードは、例えば携帯端末１の所有者または製造者によって事前に設定され、メモリ部１２に記憶される。
【００４１】
制御部１７は、入力情報が示す文字列とメモリ部１２に記憶されているログイン時認証パスワードとが一致したことを確認すると（ステップ＃２、ＹＥＳ）、ログイン状態（制御部１７が、入力情報に応じたアプリケーションプログラムの実行を許容する状態）に移行する（ステップ＃３）。
【００４２】
一方、制御部１７は、入力情報が示す文字列と、メモリ部１２に記憶されているログイン時認証パスワードとが不一致であったことを確認すると（ステップ＃２、ＮＯ）、その不一致の回数であるログイン時認証失敗回数を、メモリ部１２を制御することで計数及び記憶させる。具体的に例えば、制御部１７は、入力情報が示す文字列とメモリ部１２に記憶されているログイン時認証パスワードとが不一致であることを確認する度に、メモリ部１２に記憶されているログイン時認証失敗回数を１ずつ増加させる。
【００４３】
このとき、制御部１７は、メモリ部１２に記憶されているログイン時認証失敗回数がＮ回（第１回数、Ｎは自然数）未満であることを確認すると（ステップ＃４、ＮＯ）、再度表示部１１を制御してログイン時認証パスワードの入力を要求する画像を表示させる（ステップ＃１）。
【００４４】
一方、制御部１７は、メモリ部１２に記憶されているログイン時認証失敗回数がＮ回に達したことを確認すると（ステップ＃４、ＹＥＳ）、音声入力部１３、撮像部１４及び測位部１５のそれぞれ（操作状況情報生成部）を制御して、携帯端末１が操作されている状況を観測させ、音声情報、画像情報及び位置情報のそれぞれ（操作状況情報）を生成させる（ステップ＃５）。
【００４５】
音声入力部１３は、携帯端末１の周囲で発生する音（例えば、操作者の声など）を集音して音声情報を生成する。撮像部１４は、表示部１１が画像を表示する方向に存在する物体（例えば、操作者の顔など）を撮像して画像情報を生成する。測位部１５は、携帯端末１の位置を測位して位置情報を生成する。
【００４６】
制御部１７は、生成された音声情報、画像情報及び位置情報を用いて通知情報を生成する。例えば、通知情報は、携帯端末１が操作された旨を示すテキスト情報（例えば、メモリ部１２に記憶されている定型文に、携帯端末１が操作された時間などを組み合わせて成る情報、以下同じ）に、音声情報、画像情報及び位置情報を添付したものから成る。
【００４７】
制御部１７は、生成した通知情報を、通信部１６を制御して送信させる（ステップ＃６）。具体的に、制御部１７は、通信部１６を制御して、メモリ部１２に事前に記憶されている通知情報送信先（例えば、特定人のメールアドレス）に対して通知情報を送信させる。なお、このとき通信部１６が、通信キャリアやアクセスポイントと通信することができない状況であれば、制御部１７は、通信部１６が通信キャリアやアクセスポイントと通信可能になった時点で通知情報が送信されるように、通信部１６を制御する。
【００４８】
そして、制御部１７は、上記のステップ＃１及び＃２と同様に、表示部１１を制御してログイン時認証パスワードを要求する画像を表示させるともに（ステップ＃７）、入力情報が示す文字列とメモリ部１２に記憶されているログイン時認証パスワードとが一致するか否かを確認する（ステップ＃８）。
【００４９】
ここで、制御部１７は、入力情報が示す文字列と、メモリ部１２に記憶されているログイン時認証パスワードとが一致したことを確認すると（ステップ＃８、ＹＥＳ）、詳細については後述する二重ロックを開始して（ステップ＃９）、セキュリティを高める。これは、操作者が、ログイン時認証パスワードの入力をＮ回以上も失敗している者であることから、携帯端末１を不正操作している取得者である可能性があるためである。
【００５０】
次に、制御部１７は、上記のステップ＃５と同様に、操作状況情報生成部１３〜１５に操作状況情報を生成させる（ステップ＃１０）。さらに、制御部１７は、例えば携帯端末１がログインされた旨を示すテキスト情報に、操作状況情報を添付した通知情報を生成し、通知情報送信先に対して送信する（ステップ＃１１）。そして、制御部１７は、ログイン状態に移行する（ステップ＃３）。
【００５１】
一方、制御部１７は、入力情報が示す文字列と、メモリ部１２に記憶されているログイン時認証パスワードとが不一致であったことを確認すると（ステップ＃８、ＮＯ）、メモリ部１２を制御することでログイン時認証失敗回数を計数及び記憶させる。そして、制御部１７は、ログイン時の認証を終了するか否かを判断する（ステップ＃１２）。ログイン時の認証を終了する場合とは、例えば、ログイン時認証失敗回数がＸ回（ＸはＮよりも大きい自然数）に達した場合や、所定期間以上ログインされていない場合などである。
【００５２】
制御部１７は、ログイン時の認証を終了せず継続すると判断すると（ステップ＃１２、ＮＯ）、再度表示部１１を制御してログイン時認証パスワードを要求する画像を表示させる（ステップ＃７）。
【００５３】
一方、制御部１７は、ログイン時の認証を終了すると判断すると（ステップ＃１２、ＹＥＳ）、入力情報にかかわらずアプリケーションプログラムの実行を許容しない状態である完全ロック状態に移行する（ステップ＃１３）。これは、操作者が、ログイン時認証パスワードを入力することができない者であることから、携帯端末１を不正操作している取得者である可能性が高いためである。なお、制御部１７が完全ロック状態に移行すると、操作者が操作部１０をどのように操作しても、携帯端末１を動作させることができなくなり、操作者の操作は排斥される。これにより、セキュリティを高めることが可能になる。
【００５４】
次に、図３を参照して、携帯端末１のログイン状態における動作例について説明する。図３は、本発明の実施形態に係る携帯端末のログイン状態における動作例について示すフローチャートである。
【００５５】
図３に示すように、最初に、操作者が操作部１０を操作して、アプリケーションプログラムの実行を指示する入力情報を制御部１７に入力する（ステップ＃２０）。
【００５６】
制御部１７は、二重ロックを実行しない場合（ステップ＃２１、ＮＯ）、即ち、ログイン時認証失敗回数がＮ回未満であり上述のステップ＃９を行うことなくログイン状態になった場合（図２のステップ＃２、ＹＥＳ及びステップ＃３）、入力情報が示すアプリケーションプログラムをそのまま実行する（ステップ＃２２）。これは、操作者が、Ｎ回未満の失敗でログイン時認証パスワードを入力することができた者であることから、携帯端末１を不正操作している取得者である可能性が低いためである。
【００５７】
一方、制御部１７は、二重ロックを実行する場合（ステップ＃２１、ＹＥＳ）、実行しようとするアプリケーションプログラムが、特定アプリケーションプログラムか否かを確認する（ステップ＃２３）。
【００５８】
「特定アプリケーションプログラム」とは、メモリ部１２に記憶されているアプリケーションプログラムの中から、携帯端末１の所有者または製造者によって事前に設定された、特にセキュリティを高くする必要があるアプリケーションプログラムである。例えば、メモリ部１２に記憶されている個人情報や重要情報を扱うアプリケーションプログラムが、特定アプリケーションプログラムとして設定され得る。なお、以下では、アプリケーションプログラムの中で特定アプリケーションプログラムに該当しないものを、「通常アプリケーションプログラム」とする。
【００５９】
制御部１７は、実行しようとするアプリケーションプログラムが、特定アプリケーションプログラムではなく、通常アプリケーションプログラムであることを確認すると（ステップ＃２３、ＮＯ）、その通常アプリケーションプログラムを実行する（ステップ＃２４）。これは、仮に操作者が、携帯端末１を不正操作している取得者であったとしても、通常アプリケーションプログラムを実行するだけでは、深刻な情報漏洩の問題が生じる可能性が低いためである。
【００６０】
一方、制御部１７は、実行しようとするアプリケーションプログラムが、特定アプリケーションプログラムであることを確認すると（ステップ＃２３、ＹＥＳ）、表示部１１を制御することで特定アプリケーションプログラム実行時認証パスワードの入力を要求する画像を表示させる（ステップ＃２５）。このとき、制御部１７は、メモリ部１２から必要な情報を読み出し、表示部１１に表示させるべき画像を生成する。
【００６１】
表示部１１に表示された画像を見た操作者は、操作部１０を操作して文字列を入力する。操作部１０は、その文字列を示す入力情報を生成して制御部１７に入力する。制御部１７は、入力情報が示す文字列とメモリ部１２に記憶されている特定アプリケーションプログラム実行時認証パスワードとが一致するか否かを確認することで、認証するか否かを決定する（ステップ＃２６）。これが、上述した二重ロックである。なお、特定アプリケーションプログラム実行時認証パスワードは、例えば携帯端末１の所有者または製造者によって事前に設定され、メモリ部１２に記憶される。また、特定アプリケーションプログラム実行時認証パスワードは、携帯端末１のセキュリティを高める観点から、ログイン時認証パスワードと異なると、好ましい。
【００６２】
制御部１７は、入力情報が示す文字列とメモリ部１２に記憶されている特定アプリケーションプログラム実行時認証パスワードとが一致したことを確認すると（ステップ＃２６、ＹＥＳ）、その特定アプリケーションプログラムを実行する（ステップ＃２７）。
【００６３】
さらに、制御部１７は、二重ロックを解除する（ステップ＃２８）。即ち、制御部１７は、この後に特定アプリケーションプログラム（今回実行したものとは異なる特定アプリケーションプログラムを含む）を実行しようとするときに、特定アプリケーションプログラム実行時認証パスワードの入力を要求する画像を表示部１１に表示させることなく、その特定アプリケーションプログラムを実行する（ステップ＃２１、ＮＯ及びステップ＃２２）。これは、操作者が、ログイン時認証パスワードだけでなく特定アプリケーションプログラム実行時認証パスワードをも入力することができた者であることから、携帯端末１を不正操作している取得者である可能性が低いためである。これにより、良好なユーザビリティを確保することが可能になる。
【００６４】
一方、制御部１７は、入力情報が示す文字列と、メモリ部１２に記憶されている特定アプリケーションプログラム実行時認証パスワードとが不一致であったことを確認すると（ステップ＃２６、ＮＯ）、その不一致の回数である特定アプリケーションプログラム実行時認証失敗回数を、メモリ部１２を制御することで計数及び記憶させる。具体的に例えば、制御部１７は、入力情報が示す文字列とメモリ部１２に記憶されている特定アプリケーションプログラム実行時認証パスワードとが不一致であることを確認する度に、メモリ部１２に記憶されている特定アプリケーションプログラム実行時認証失敗回数を１ずつ増加させる。
【００６５】
このとき、制御部１７は、メモリ部１２に記憶されている特定アプリケーションプログラム実行時認証失敗回数がＭ回（第２回数、Ｍは自然数）未満であることを確認すると（ステップ＃２９、ＮＯ）、再度表示部１１を制御して特定アプリケーションプログラム実行時認証パスワードの入力を要求する画像を表示させる（ステップ＃２５）。
【００６６】
一方、制御部１７は、メモリ部１２に記憶されている特定アプリケーションプログラム実行時認証失敗回数がＭ回に達したことを確認すると（ステップ＃２９、ＹＥＳ）、上述した完全ロック状態に移行する（ステップ＃３０）。これは、操作者が、ログイン時認証パスワードの入力時にＮ回以上も失敗し、さらに特定アプリケーションプログラム実行時認証パスワードの入力時にもＭ回失敗した者であることから、携帯端末１を不正操作している取得者である可能性が高いためである。
【００６７】
さらに、制御部１７は、図２のステップ＃５と同様に、操作状況情報生成部１３〜１５に操作状況情報を生成させる（ステップ＃３１）。そして、制御部１７は、例えば特定アプリケーションプログラム実行時認証パスワードが入力されたが失敗し完全ロック状態に移行した旨を示すテキスト情報に、操作状況情報を添付した通知情報を生成し、通知情報送信先に対して送信する（ステップ＃３２）。
【００６８】
以上のように、本発明の実施形態に係る携帯端末１では、ログイン状態に移行する前にログイン時認証パスワードの入力にＮ回以上失敗して、携帯端末を不正操作している取得者である可能性がある操作者に対してのみ、不正操作されると問題がある特定アプリケーションプログラムの実行の際に、二重のパスワードの入力を要求する（二重ロックを実行する）ことが可能になる。即ち、携帯端末１が不正操作されている可能性がある場合にのみ、特定アプリケーションプログラムの実行のみを制限することで、良好なユーザビリティを確保しつつセキュリティを高めることが可能になる。
【００６９】
また、本発明の実施形態に係る携帯端末１は、操作者がログイン時認証パスワードの入力にＮ回以上失敗した場合や、操作者が特定アプリケーションプログラム実行時認証パスワードの入力にＭ回失敗した場合など、携帯端末１が不正操作された可能性がある場合に、その旨を通知情報として送信することが可能になる。したがって、所有者は、携帯端末１の不正操作の事実を迅速に把握して対応することが可能になる。
【００７０】
さらに、本発明の実施形態に係る携帯端末１では、通知情報が、携帯端末１が操作された状況を示す操作状況情報を用いて作成される。そのため、所有者は、携帯端末１が不正操作されている状況を把握して、効果的な対応を採ることが可能になる。特に、操作状況情報として、上述の音声情報、画像情報及び位置情報を採用すると、不正操作を行う取得者の特徴や携帯端末１の所在を明確に示した通知情報を、所有者が取得することが可能になる。
【００７１】
＜変形等＞
音声入力部１３、撮像部１４及び測位部１５の全てを操作状況情報生成部として利用する場合について例示したが、これらの全てを操作状況情報生成部として利用する必要はなく、これらのいずれか１つまたは２つを操作状況情報生成部として利用してもよい。
【００７２】
上述の動作例では、操作状況情報を生成するタイミング（図２のステップ＃５及び＃１０、図３のステップ＃２８）が、ログイン時認証失敗回数がＮ回以上になった後や、特定アプリケーションプログラム実行時認証失敗回数がＭ回に達した後である場合について例示したが、これらの前（即ち、操作者がパスワードを入力している最中）に操作状況情報を生成してもよい。
【００７３】
また、上述の動作例における、通知情報を生成及び送信するタイミング（図２のステップ＃６及び＃１１、図３のステップ＃２９）は一例に過ぎず、どのタイミングで通知情報を生成及び送信してもよい。例えば、これらのタイミングに加えて、図２のステップ＃１３（完全ロック状態への移行）の前または後にも、通知情報を生成して送信してもよい。
【００７４】
また、上述の動作例において、通知情報を生成及び送信する回数を、１回または２回としてもよいし、０回としてもよい。通知情報を生成及び送信する回数を上記の動作例よりも減らしたとしても、二重ロックを実行することは可能であるため、良好なユーザビリティを確保しつつセキュリティを高めることは可能である。
【００７５】
また、上述の動作例において、制御部１７が、音声情報、画像情報及び位置情報に対して所定の処理を行って得られた情報を、通知情報に含めてもよい。具体的に例えば、制御部１７が、音声情報から検出した人の声紋を示す情報や、その声紋をメモリ部１２に事前に記憶されている特定人（例えば、携帯端末１の所有者やその近親者、以下同じ）の声紋と比較した結果を示す情報を、通知情報に含めてもよい。また具体的に例えば、制御部１７が、画像情報から検出した人の顔を示す情報や、その顔をメモリ部１２に事前に記憶されている特定人の顔と比較した結果を示す情報を、通知情報に含めてもよい。
【産業上の利用可能性】
【００７６】
本発明の携帯端末は、携帯電話やノート型パソコンなどに好適に利用され得る。
【符号の説明】
【００７７】
１      ：  携帯端末
１０    ：  操作部
１１    ：  表示部
１２    ：  メモリ部
１３    ：  音声入力部（操作状況情報生成部）
１４    ：  撮像部（操作状況情報生成部）
１５    ：  測位部（操作状況情報生成部）
１６    ：  通信部
１７    ：  制御部
【図１】
2013190996.tif 000003
【図２】
2013190996.tif 000004
【図３】
2013190996.tif 000005